(57)【要約】【課題】携帯型内視鏡の保管時または運搬時に充電を行うことが可能な携帯型内視鏡用キャリングケースを提供すること。【解決手段】携帯型内視鏡用キャリングケースを、ケース本体と、ケース本体内部に配置され、充電可能な携帯型内視鏡を収容する収容部と、ケース本体内部に配置され、携帯型内視鏡が収容部に収容されたときに、携帯型内視鏡を充電する充電装置とを備える構成とする。【選択図】図２
2014000236.tif 000002
【特許請求の範囲】
【請求項１】
ケース本体と、
前記ケース本体内部に配置され、充電可能な携帯型内視鏡を収容する収容部と、
前記ケース本体内部に配置され、前記携帯型内視鏡が前記収容部に収容されたときに、前記携帯型内視鏡を充電する充電装置と、
を備えることを特徴とする携帯型内視鏡用キャリングケース。
【請求項２】
前記充電装置は、
外部交流電源と接続可能な外部電源接続部と、
前記外部電源接続部と接続された１次コイルと、
を備え、
前記携帯型内視鏡は、
２次コイル、
を備え、
前記１次コイルは、前記携帯型内視鏡が前記収容部に収容され、前記外部電源接続部が前記外部交流電源と接続されたときに、前記２次コイルと電磁的に結合する
ことを特徴とする請求項１に記載の携帯型内視鏡用キャリングケース。
【請求項３】
前記充電装置は、
外部交流電源と接続可能な外部電源接続部と、
前記外部交流電源から供給される交流電圧を整流する整流回路と、
前記整流回路と接続された第１の端子と、
を備え、
前記携帯型内視鏡は、
前記第１の端子に接続可能な第２の端子、
を備え、
前記第１の端子は、前記携帯型内視鏡が前記収容部に収容されたときに、前記第２の端子と接続される
ことを特徴とする請求項１に記載の携帯型内視鏡用キャリングケース。
【請求項４】
前記充電装置は、
外部交流電源と接続可能な外部電源接続部と、
前記外部交流電源から供給される交流電圧を出力する第３の端子と、
を備え、
前記携帯型内視鏡は、
前記第３の端子に接続可能な第４の端子、
を備え、
前記第３の端子は、前記携帯型内視鏡が前記収容部に収容されたときに、前記第４の端子と接続される
ことを特徴とする請求項１に記載の携帯型内視鏡用キャリングケース。
【請求項５】
前記充電装置は、
前記ケース本体の表面に配置され、光起電力効果によって発電する太陽電池と、
前記太陽電池によって発電された電力を蓄電する蓄電池と、
前記蓄電池と接続された第５の端子と、
を備え、
前記携帯型内視鏡は、
前記第５の端子に接続可能な第６の端子、
を備え、
前記第５の端子は、前記携帯型内視鏡が前記収容部に収容されたときに、前記第６の端子と接続される
ことを特徴とする請求項１に記載の携帯型内視鏡用キャリングケース。
【請求項６】
前記充電装置は、
手動操作により回動する操作部と、
前記操作部の回動により発電する発電部と、
前記発電部によって発電された電力を蓄電する蓄電池と、
前記蓄電地と接続された第７の端子と、
を備え、
前記携帯型内視鏡は、
前記第７の端子と接続可能な第８の端子、
を備え、
前記第７の端子は、前記携帯型内視鏡が前記収容部に収容されたときに、前記第８の端子と接続される
ことを特徴とする請求項１に記載の携帯型内視鏡用キャリングケース。
【請求項７】
前記操作部は、前記充電装置に対して着脱可能である
ことを特徴とする請求項６に記載の携帯型内視鏡用キャリングケース。
【請求項８】
前記ケース本体は、該ケース本体に回動可能に取り付けられたハンドルを備え、
前記操作部は、前記ハンドルである
ことを特徴とする請求項６または請求項７に記載の携帯型内視鏡用キャリングケース。
【請求項９】
前記携帯型内視鏡は、
充電池と、
前記充電池を充電する充電回路と、
を備えることを特徴とする請求項１から請求項８のいずれか一項に記載の携帯型内視鏡用キャリングケース。
【発明の詳細な説明】
【技術分野】
【０００１】
本発明は、携帯型内視鏡用キャリングケースに関し、特に、携帯型内視鏡の保管時または運搬時に充電を行うことが可能な携帯型内視鏡用キャリングケースに関する。
【背景技術】
【０００２】
商用電源からの電力供給が望めない医療現場での使用を想定した携帯型内視鏡が知られている。この種の携帯型内視鏡の具体的構成例は、特許文献１に記載されている。特許文献１に記載されているように、携帯型内視鏡は、自然光の届かない体腔内を照明するための光源を搭載した光源ユニットを有する。光源ユニットには、例えば入手が容易な充電池で駆動するタイプがある。
【０００３】
携帯型内視鏡は、通常の内視鏡と比較して携行性に優れているため、巡回健診や在宅医療など、患者の自宅やベッドサイドで使用することもできる。携帯型内視鏡は、専用のキャリングケースに保管され、キャリングケースとともに運搬される。特許文献２に、そのような携帯型内視鏡用キャリングケースの具体的構成例が記載されている。特許文献２に記載の携帯型内視鏡用キャリングケースは、開閉自在なスーツケース状の収容ケースであり、内視鏡や付属品類を、折れ曲がりなどの負荷が極力生じないように収容することができる。
【先行技術文献】
【特許文献】
【０００４】
【特許文献１】特開２００３−３１０５４８号公報
【特許文献２】特許第４０９５１６８号
【発明の概要】
【発明が解決しようとする課題】
【０００５】
携帯型内視鏡は、商用電源の確保が難しい地域や状況下で内視鏡観察を緊急に行いたい場合などに有用である。しかし、その反面、充電池により駆動する携帯型内視鏡の場合、繰り返し観察を行うことによる充電池の消耗やキャリングケース保管時の充電池の自然放電により、予期しないバッテリ切れの発生が懸念される。
【０００６】
本発明は上記の事情に鑑みてなされたものであり、その目的とするところは、携帯型内視鏡の保管時または運搬時に充電を行うことが可能な携帯型内視鏡用キャリングケースを提供することである。
【課題を解決するための手段】
【０００７】
本発明の一実施形態によれば、ケース本体と、ケース本体内部に配置され、充電可能な携帯型内視鏡を収容する収容部と、ケース本体内部に配置され、携帯型内視鏡が収容部に収容されたときに、携帯型内視鏡を充電する充電装置とを備える携帯型内視鏡用キャリングケースが提供される。
【０００８】
上記の構成によれば、携帯型内視鏡を携帯型内視鏡用キャリングケースによって保管または運搬している間に携帯型内視鏡を充電することができるため、携帯型内視鏡をキャリングケースから取り出して使用したときに予期しないバッテリ切れの発生を有効に回避することができる。
【０００９】
また、充電装置は、外部交流電源と接続可能な外部電源接続部と、外部電源接続部と接続された１次コイルとを備え、携帯型内視鏡は、２次コイルを備え、１次コイルは、携帯型内視鏡が収容部に収容され、外部電源接続部が外部交流電源と接続されたときに、２次コイルと電磁的に結合する構成としてもよい。
【００１０】
または、充電装置は、外部交流電源と接続可能な外部電源接続部と、外部交流電源から供給される交流電圧を整流する整流回路と、整流回路と接続された第１の端子とを備え、携帯型内視鏡は、第１の端子に接続可能な第２の端子を備え、第１の端子は、携帯型内視鏡が収容部に収容されたときに、第２の端子と接続される構成としてもよい。
【００１１】
または、充電装置は、外部交流電源と接続可能な外部電源接続部と、外部交流電源から供給される交流電圧を出力する第３の端子とを備え、携帯型内視鏡は、第３の端子に接続可能な第４の端子を備え、第３の端子は、携帯型内視鏡が収容部に収容されたときに、第４の端子と接続される構成としてもよい。
【００１２】
または、充電装置は、ケース本体の表面に配置され、光起電力効果によって発電する太陽電池と、太陽電池によって発電された電力を蓄電する蓄電池と、蓄電池と接続された第５の端子とを備え、携帯型内視鏡は、第５の端子に接続可能な第６の端子を備え、第５の端子は、携帯型内視鏡が収容部に収容されたときに、第６の端子と接続される構成としてもよい。
【００１３】
または、充電装置は、手動操作により回動する操作部と、操作部の回動により発電する発電部と、発電部によって発電された電力を蓄電する蓄電池と、蓄電地と接続された第７の端子とを備え、携帯型内視鏡は、第７の端子と接続可能な第８の端子を備え、第７の端子は、携帯型内視鏡が収容部に収容されたときに、第８の端子と接続される構成としてもよい。さらに、操作部は、充電装置に対して着脱可能としてもよい。また、ケース本体が該ケース本体に回動可能に取り付けられたハンドルを備え、操作部はハンドルである構成としてもよい。
【００１４】
さらに、携帯型内視鏡は、充電池と、充電池を充電する充電回路とを備える構成とすることができる。
【発明の効果】
【００１５】
本発明によれば、携帯型内視鏡の保管時または運搬時に充電を行うことが可能な携帯型内視鏡用キャリングケースが提供される。
【図面の簡単な説明】
【００１６】
【図１】図１は、本発明の実施形態に係る携帯型内視鏡の概略構成図である。
【図２】図２は、本発明の第１実施形態に係る携帯型内視鏡用キャリングケースおよび携帯型内視鏡の概略外観図である。
【図３】図３は、本発明の第１実施形態に係る携帯型内視鏡用キャリングケースおよび携帯型内視鏡のブロック図である。
【図４】図４は、本発明の第２実施形態に係る携帯型内視鏡用キャリングケースおよび携帯型内視鏡の概略外観図である。
【図５】図５は、本発明の第２実施形態に係る携帯型内視鏡用キャリングケースおよび携帯型内視鏡のブロック図である。
【図６】図６は、本発明の第３実施形態に係る携帯型内視鏡用キャリングケースおよび携帯型内視鏡のブロック図である。
【図７】図７は、本発明の第４実施形態に係る携帯型内視鏡用キャリングケースおよび携帯型内視鏡の概略外観図である。
【図８】図８は、本発明の第４実施形態に係る携帯型内視鏡用キャリングケースおよび携帯型内視鏡のブロック図である。
【図９】図９は、本発明の第５実施形態に係る携帯型内視鏡用キャリングケースおよび携帯型内視鏡の概略外観図である。
【図１０】図１０は、本発明の第５実施形態に係る携帯型内視鏡用キャリングケースおよび携帯型内視鏡のブロック図である。
【発明を実施するための形態】
【００１７】
以下、図面を参照して、本発明の実施形態に係る携帯型内視鏡用キャリングケースについて説明する。
【００１８】
図１は、本発明の実施形態に係る携帯型内視鏡１０の概略構成図である。図１に示されるように、携帯型内視鏡１０は、可撓性を有するシースによって外装された可撓管１１を有している。可撓管１１の先端には、例えば耐腐食性金属で形成された先端部１２が連結している。可撓管１１の基端には、把持部１４が連結部１５を介して連結している。把持部１４には、各種操作ボタン２０〜２２、接眼部１３、ランプハウス１６が設けられている。
【００１９】
ランプハウス１６から供給される照明光は、ライドガイド（外観上不可視）を伝搬して、先端部１２内に配されたライトガイドの射出端から射出する。先端部１２には、照明光を照射するための配光レンズ（不図示）が取り付けられている。ライトガイドの射出端から射出した照明光は、配光レンズを介して被写体を照明する。また、先端部１２には、対物レンズ（不図示）が取り付けられている。照明光により照明された被写体像は、対物レンズに入射して先端部１２内に配されたイメージガイド（外観上不可視）に入射する。イメージガイドは可撓管１１内を延び、基端が接眼部１３との結合位置に配されている。術者は、対物レンズに入射してイメージガイドを伝搬した被写体像を接眼部１３を介して観察することができる。
【００２０】
ランプハウス１６には、電源ユニット１７が装着されている。電源ユニット１７は、ハウジング１９を有している。ハウジング１９は、ランプハウス１６と対向する面とは反対側の面が開口しており、キャップ１８によって当該開口が封止されている。電源ユニット１７には、充電池４３が収容されている。本実施形態では、ハウジング１９からキャップ１８を取り外して充電池４３の出し入れを行う。また、電源ユニット１７は、充電池４３を充電するための充電回路４２を備える。電源ユニット１７のその他の具体的な構成内容は、以下に説明するように、携帯型内視鏡用キャリングケースが備える充電装置の構成に応じて異なる。
【００２１】
＜第１実施形態＞
【００２２】
図２に、本発明の第１の実施形態に係る携帯型内視鏡用キャリングケース３０と携帯型内視鏡１０の概略外観図を示す。また、図３に、本実施形態に係る携帯型内視鏡用キャリングケース３０と携帯型内視鏡１０のブロック図を示す。図２に示すように、携帯型内視鏡用キャリングケース３０は、蓋体３４と本体３５とが蝶番（不図示）により開閉自在に構成されている。本体３５の側面には、蓋体３４と本体３５を閉じて運搬する際の把持部となるハンドル３６や、商用電源（外部交流電源）から交流電圧の供給を受けるための外部電源接続部としての電源コード３２および電源プラグ３３が設けられている。電源コード３２は、一端に電源プラグ３３が取り付けられている。なお、電源コード３２は、他端に本体３５と接続するプラグを設け、本体３５と着脱自在に構成してもよい。
【００２３】
本体３５内には、携帯型内視鏡用キャリングケース３０の外部からの衝撃を吸収する緩衝材にて形成された内枠３５ａが嵌め込まれている。内枠３５ａには、携帯型内視鏡１０を収容するための収容部３７が設けられている。収容部３７は、内枠３５ａに、携帯型内視鏡１０の外形に対応する溝を設けることで構成されている。また、蓋体３４内にも、携帯型内視鏡用キャリングケース３０の外部からの衝撃を吸収する緩衝材にて形成された内枠３４ａが嵌め込まれている。携帯型内視鏡１０を内枠３５ａに収容して蓋体３４と本体３５を閉じると、携帯型内視鏡１０は、内枠３４ａ、３５ａに挟まれて保持される。なお、内枠３４ａ、３５ａは、ポリウレタン樹脂など、軽量化や衝撃吸収性、柔軟性などに優れた素材を適宜選択して構成することができる。
【００２４】
次に、本実施形態において携帯型内視鏡用キャリングケース３０を用いて携帯型内視鏡１０を充電する具体的構成について説明する。図３に示すように、携帯型内視鏡用キャリングケース３０は、電源プラグ３３、電源コード３２、１次コイル３１を充電装置として備える。１次コイル３１は、蓋体３４または本体３５のいずれに設けて構成してもよい。また、携帯型内視鏡１０の電源ユニット１７は、２次コイル４０、ＡＣ／ＤＣコンバータ４１、充電回路４２、充電池４３を備える。
【００２５】
まず、携帯型内視鏡１０を携帯型内視鏡用キャリングケース３０の収容部３７に収容する。収容が完了すると、携帯型内視鏡用キャリングケース３０の１次コイル３１と携帯型内視鏡１０の２次コイル４０との位置関係が、外部交流電源からの交流電圧を１次コイル３１に供給したときに１次コイル３１と２次コイル４０とが電磁的に結合する関係となる。すなわち、２次コイル４０は、１次コイル３１に磁束が発生したときに当該磁束内に収まる位置に配されているため、携帯型内視鏡１０が１次コイル３１および２次コイル４０を介して充電可能な状態となる。
【００２６】
次に、電源プラグ３３を交流電圧の供給源である外部交流電源に接続する。外部交流電源からの交流電圧は、電源プラグ３３および電源コード３２を経由して１次コイル３１に供給される。１次コイル３１に交流電圧が供給されると、１次コイル３１には励磁電流が発生し、この励磁電流により１次コイル３１の周囲に磁束が発生する。
【００２７】
２次コイル４０には、１次コイル３１に発生した磁束の変化に基づく相互誘導作用により、交流電圧（誘導電圧）が発生する。２次コイル４０に発生した交流電圧は、ＡＣ／ＤＣコンバータ４１によって整流される。ＡＣ／ＤＣコンバータ４１による整流後の直流電圧は、充電回路４２に供給される。充電回路４２は、ＡＣ／ＤＣコンバータ４１からの直流電圧を充電池４３に供給し、充電池４３の充電を行う。
【００２８】
このように、本実施形態によれば、携帯型内視鏡用キャリングケース３０は携帯型内視鏡１０の充電を非接触で行うことができる。このため、携帯型内視鏡用キャリングケース３０の収容部３７に接続端子などを設ける必要がなく、端子が携帯型内視鏡１０の収容に支障をきたすこと、端子の接点不良、短絡や水分などによる漏電、といった懸念が生じない。
【００２９】
また、携帯型内視鏡１０の外形に対応する溝（凹部）が形成されている収容部３７に携帯型内視鏡１０が収納されると、自動的に非接触充電により携帯型内視鏡１０の充電が行われるように１次コイル３１が携帯型内視鏡用キャリングケース３０内に配置されている。このため、ユーザからすると特段意識することなく従前のキャリングケースに内視鏡を収納するのと同様の感覚で、携帯型内視鏡１０の収納のみならず携帯型内視鏡１０の充電まで行うことができる。
【００３０】
以上が本実施形態の説明である。なお、説明の便宜上、図２、３では、携帯型内視鏡１０および携帯型内視鏡用キャリングケース３０におけるその他の構成要素については図示および説明を省略する。以下の実施形態においても同様とする。
＜第２実施形態＞
【００３１】
図４に、本発明の第２の実施形態に係る携帯型内視鏡用キャリングケース３０と携帯型内視鏡１０の概略外観図を示す。また、図５に、本実施形態に係る携帯型内視鏡用キャリングケース３０と携帯型内視鏡１０のブロック図を示す。なお、第１の実施形態と同一の構成には同一の符号を付し、詳細な説明は省略する。以下の実施形態においても同様とする。図４に示すように、本実施形態の携帯型内視鏡用キャリングケース３０は、収容部３７に端子５１が設けられている。図５に示すように、携帯型内視鏡用キャリングケース３０は、電源プラグ３３、電源コード３２、ＡＣ／ＤＣコンバータ５２、端子５１を充電装置として備える。端子５１は、ＡＣ／ＤＣコンバータ５２と接続されている。また、ＡＣ／ＤＣコンバータ５２は、電源コード３２に接続されている。携帯型内視鏡１０の電源ユニット１７は、端子６１、充電回路４２、充電池４３を備える。端子５１、６１は、携帯型内視鏡１０を収容部３７に収容したときに互いに電気的に接続するよう、携帯型内視鏡用キャリングケース３０と携帯型内視鏡１０にそれぞれ配置されている。
【００３２】
まず、携帯型内視鏡１０を携帯型内視鏡用キャリングケース３０の収容部３７に収容する。収容が完了すると、携帯型内視鏡用キャリングケース３０の端子５１と携帯型内視鏡１０の端子６１とが電気的に接続し、携帯型内視鏡１０が端子５１、６１を介して充電可能な状態となる。次に、電源プラグ３３を交流電圧の供給源である外部交流電源に接続する。外部交流電源からの交流電圧は、電源プラグ３３および電源コード３２を経由してＡＣ／ＤＣコンバータ５２に供給される。ＡＣ／ＤＣコンバータ５２は、供給された交流電圧を整流する。ＡＣ／ＤＣコンバータ５２による整流後の直流電圧は、端子５１、６１を介して充電回路４２に供給される。充電回路４２は、ＡＣ／ＤＣコンバータ５２からの直流電圧を充電池４３に供給し、充電池４３の充電を行う。
【００３３】
このように、本実施形態によれば、携帯型内視鏡１０を携帯型内視鏡用キャリングケース３０に保管したまま外部の商用電源を利用して携帯型内視鏡１０の充電を行うことができる。
＜第３実施形態＞
【００３４】
図６に、本発明の第３の実施形態に係る携帯型内視鏡用キャリングケース３０と携帯型内視鏡１０のブロック図を示す。なお、本実施形態に係る携帯型内視鏡用キャリングケース３０と携帯型内視鏡１０の概略図は、図４と同一である。図６に示すように、本実施形態の携帯型内視鏡用キャリングケース３０は、電源プラグ３３、電源コード３２、端子５１を充電装置として備える。端子５１は、電源コード３２に接続されている。携帯型内視鏡１０の電源ユニット１７は、端子６１、ＡＣ／ＤＣコンバータ４１、充電回路４２、充電池４３を備える。端子５１、６１は、携帯型内視鏡１０を収容部３７に収容したときに互いに電気的に接続するよう、携帯型内視鏡用キャリングケース３０と携帯型内視鏡１０にそれぞれ配置されている。
【００３５】
まず、携帯型内視鏡１０を携帯型内視鏡用キャリングケース３０の収容部３７に収容する。収容が完了すると、携帯型内視鏡用キャリングケース３０の端子５１と携帯型内視鏡１０の端子６１とが電気的に接続し、携帯型内視鏡１０が端子５１、６１を介して充電可能な状態となる。次に、電源プラグ３３を交流電圧の供給源である外部交流電源に接続する。外部交流電源からの交流電圧は、電源プラグ３３、電源コード３２、端子５１、６１を順次経由して、ＡＣ／ＤＣコンバータ４１に供給される。ＡＣ／ＤＣコンバータ４１は、供給された交流電圧を整流する。ＡＣ／ＤＣコンバータ４１による整流後の直流電圧は、充電回路４２に供給される。充電回路４２は、ＡＣ／ＤＣコンバータ４１からの直流電圧を充電池４３に供給し、充電池４３の充電を行う。
【００３６】
このように、本実施形態によれば、外部交流電源の交流電圧を携帯型内視鏡１０に伝達する機能のみを有するように携帯型内視鏡用キャリングケース３０が構成されているため、携帯型内視鏡用キャリングケース３０の充電装置の構成を極力簡素にすることができる。
＜第４実施形態＞
【００３７】
図７に、本発明の第４の実施形態に係る携帯型内視鏡用キャリングケース３０と携帯型内視鏡１０の概略外観図を示す。また、図８に、本実施形態に係る携帯型内視鏡用キャリングケース３０と携帯型内視鏡１０のブロック図を示す。図８に示すように、本実施形態の携帯型内視鏡用キャリングケース３０は、太陽電池モジュール７１、蓄電池７２、端子５１を充電装置として備える。太陽電池モジュール７１は、複数の太陽電池セルを直並列接続したパネル状の部品であり、本実施形態では、本体３５の底面に設けられている。したがって、蓋体３４と本体３５を閉じ、本体３５の底面（太陽電池モジュール７１）を太陽光にさらすと、太陽光を受けた太陽電池モジュール７１が発電を行う。太陽電池モジュール７１は、蓄電池７２と接続されている。また、蓄電池７２は、端子５１と接続されている。なお、太陽電池モジュール７１は、発電を行うことができれば、本体３５の底面に限らず、携帯型内視鏡用キャリングケース３０の表面の任意の位置に設けることができる。また、蓄電池７２も、太陽電池モジュール７１の位置に応じて携帯型内視鏡用キャリングケース３０内で適宜配置を変えることができる。携帯型内視鏡１０の電源ユニット１７は、端子６１、充電回路４２、充電池４３を備える。端子５１、６１は、携帯型内視鏡１０を収容部３７に収容したときに互いに電気的に接続するよう、携帯型内視鏡用キャリングケース３０と携帯型内視鏡１０にそれぞれ配置されている。
【００３８】
太陽電池モジュール７１は、太陽光エネルギーを光起電力効果により電気エネルギーに変換し、直流電圧を発生する。発生した直流電圧は、蓄電池７２に蓄えられる。携帯型内視鏡１０を携帯型内視鏡用キャリングケース３０の収容部３７に収容すると、携帯型内視鏡用キャリングケース３０の端子５１と携帯型内視鏡１０の端子６１とが電気的に接続し、携帯型内視鏡１０が端子５１、６１を介して充電可能な状態となる。蓄電池７２に蓄えられた電力は、直流電圧として端子５１、６１を経由して充電回路４２に供給される。充電回路４２は、蓄電池７２からの直流電圧を充電池４３に供給し、充電池４３の充電を行う。
【００３９】
このように、本実施形態によれば、外部の商用電源を利用できない状況であっても、携帯型内視鏡１０を充電することができる。また、電源プラグ３３や電源コード３２が不要であるため、充電時に携帯型内視鏡用キャリングケース３０を外部交流電源に接続する手間が省ける。さらに、電源プラグ３３や電源コード３２が携帯型内視鏡用キャリングケース３０の運搬の邪魔になるといった懸念が生じない。
＜第５実施形態＞
【００４０】
図９に、本発明の第５の実施形態に係る携帯型内視鏡用キャリングケース３０と携帯型内視鏡１０の概略外観図を示す。また、図１０に、本実施形態に係る携帯型内視鏡用キャリングケース３０と携帯型内視鏡１０のブロック図を示す。図９に示すように、本実施形態に係る携帯型内視鏡用キャリングケース３０は、ハンドル８１、発電機８２、ブリッジ整流回路８３、蓄電池８４、端子５１を充電装置として備える。ハンドル８１は、手動操作によって回動自在に本体３５に取り付けられている。ハンドル８１は、本体３５に固定することもでき、携帯型内視鏡用キャリングケース３０の運搬時の把持部としての機能も兼ねている。なお、ハンドル８１を着脱自在に構成し、手動充電時や運搬時など必要なときのみ本体３５に装着できるようにしてもよい。図８に示すように、ハンドル８１は、発電機８２と接続されている。
【００４１】
発電機８２は、ハンドル８１の回動操作により発電を行い、交流電圧を発生する。発電機８２により発生した交流電圧は、ブリッジ整流回路８３にて整流された後、蓄電池８４に電力として蓄えられる。携帯型内視鏡１０を携帯型内視鏡用キャリングケース３０の収容部３７に収容すると、携帯型内視鏡用キャリングケース３０の端子５１と携帯型内視鏡１０の端子６１とが電気的に接続し、携帯型内視鏡１０が端子５１、６１を介して充電可能な状態となる。蓄電池８４に蓄えられた電力は、直流電圧として端子５１、６１を経由して充電回路４２に供給される。充電回路４２は、蓄電池８４からの直流電圧を充電池４３に供給し、充電池４３の充電を行う。
【００４２】
このように、本実施形態によれば、緊急に携帯型内視鏡１０で内視鏡観察を行う際にバッテリ切れが発生しても、携帯型内視鏡用キャリングケース３０を用いた手動充電により携帯型内視鏡１０を充電することができる。
【００４３】
以上が本発明の実施形態の説明である。本発明は、上記の構成に限定されるものではなく、本発明の技術的思想の範囲において様々な変形が可能である。例えば、上記の説明では、充電池４３は、キャップ１８を取り外して電源ユニット１７に対して出し入れが可能なように構成しているが、キャップ１８とハウジング１９を一体に形成し、充電池４３を電源ユニット１７専用とする構成としてもよい。また、携帯型内視鏡用キャリングケース３０の充電装置の各構成要素は、蓋体３４内部および本体３５内部の任意の位置に配設することが可能である。
【符号の説明】
【００４４】
１０  携帯型内視鏡
１７  電源ユニット
１８  キャップ
１９  ハウジング
３０  携帯型内視鏡用キャリングケース
３１  １次コイル
３２  電源コード
３３  電源プラグ
３４  蓋体
３４ａ、３５ａ  内枠
３５  本体
３６、８１  ハンドル
３７  収容部
４０  ２次コイル
４１、５２  ＡＣ／ＤＣコンバータ
４２  充電回路
４３  充電池
５１、６１  端子
７１  太陽電池モジュール
７２、８４  蓄電池
８２  発電機
８３  ブリッジ整流回路
【図１】
2014000236.tif 000003
【図２】
2014000236.tif 000004
【図３】
2014000236.tif 000005
【図４】
2014000236.tif 000006
【図５】
2014000236.tif 000007
【図６】
2014000236.tif 000008
【図７】
2014000236.tif 000009
【図８】
2014000236.tif 000010
【図９】
2014000236.tif 000011
【図１０】
2014000236.tif 000012